(57)【特許請求の範囲】
【請求項１】
人体との接触面側に設けられる表面シートと、人体との接触面と反対面側に設けられる裏面シートと、前記表面シートと前記裏面シートとの間に人体の腹側部から股間部を通って背側部にかけて介装される吸収体とを備える吸収性物品において、
前記吸収体は、前記股間部の幅方向中央部において、前記吸収体の長手方向に沿って延在して前記表面シート側に突出する第１突出部と、
前記股間部の前記第１突出部より前記背側部側において、前記吸収体の幅方向に沿って延在して前記表面シート側に突出する第２突出部と、
を備え、
装着時において、前記第１突出部は、女性着用者の陰唇間に当接するよう配され、前記第２突出部は、女性着用者の肛門よりも前方に位置するように配され、
人体との接触面側の前記第１突出部と対向する位置には、不透液性の第１シート材が備えられていることを特徴とする吸収性物品。
【請求項２】
人体との接触面側の前記第２突出部の前記腹側部側と対向する位置には、不透液性の第２シート材が備えられていることを特徴とする請求項１に記載の吸収性物品。
【請求項３】
人体との接触面側に設けられる表面シートと、人体との接触面と反対面側に設けられる裏面シートと、前記表面シートと前記裏面シートとの間に人体の腹側部から股間部を通って背側部にかけて介装される吸収体とを備える吸収性物品において、
前記吸収体は、
前記股間部の幅方向中央部において、前記吸収体の長手方向に沿って延在して前記表面シート側に突出する第１突出部と、
前記股間部の前記第１突出部より前記背側部側において、前記吸収体の幅方向に沿って延在して前記表面シート側に突出する第２突出部と、
を備え、
人体との接触面と反対面側の前記第１突出部と対向する位置に、前記第１突出部の位置を把握可能とする目印が備えられ、
前記目印は、目印部材により構成され、
前記目印部材には、前記吸収体の幅方向に沿って伸縮可能な伸縮部材が配されていることを特徴とする吸収性物品。
【請求項４】
前記目印部材には、人体との接触面と反対面側に突出した摘み部が設けられていることを特徴とする請求項３に記載の吸収性物品。
【請求項５】
前記第２突出部は、前記腹側部側に向けて凸となるように湾曲していることを特徴とする請求項１〜４の何れか一項に記載の吸収性物品。
【請求項６】
前記第１突出部と前記第２突出部とが繋がって一体的に設けられていることを特徴とする請求項１〜５の何れか一項に記載の吸収性物品。
【請求項７】
前記吸収体の前記腹側部には、当該吸収体の長手方向に沿った複数の溝部が備えられていることを特徴とする請求項１〜６の何れか一項に記載の吸収性物品。
【請求項８】
前記吸収体は、前記裏面シート側に配設される第１吸収体と、前記第１吸収体上に配置される第２吸収体とを、備え、
前記第１突出部及び前記第２突出部は、前記第２吸収体により構成されていることを特徴とする請求項１〜７の何れか一項に記載の吸収性物品。
【発明の詳細な説明】
【技術分野】
【０００１】
本発明は、吸収性物品に関する。
【背景技術】
【０００２】
従来、おむつ、おむつカバー等の外装体の内側に取り付けられて使用される吸収パッドなどの吸収性物品が知られている。
吸収性物品においては、軟便等が排泄された際、排泄物が吸収されず表面シート上に残って拡散してしまうという問題がある。
そこで、例えば、特許文献１には、軟便排泄時に便の勢いを阻止することで拡散を防ぐと共に、残留した軟便内の固形分を確実に捕捉すべく、表面シートに、長繊維の絡み合った束を毛羽立たせた繊維結束体を設ける吸収性物品が提案されている。
【先行技術文献】
【特許文献】
【０００３】
【特許文献１】特開２００９−２５４５６２号公報
【発明の概要】
【発明が解決しようとする課題】
【０００４】
しかしながら、特許文献１の吸収性物品では、排泄物の拡散は防止されるものの、女性着用者の場合には排泄物が陰部に入り込んでしまう恐れがあり、頻繁に洗浄を行わないと陰部を清潔に保つことができないという問題がある。
【０００５】
本発明の課題は、陰部を清潔に保つことのできる女性用の吸収性物品を提供することである。
【課題を解決するための手段】
【０００６】
前記課題を解決するために、請求項１に記載の発明は、
人体との接触面側に設けられる表面シートと、人体との接触面と反対面側に設けられる裏面シートと、前記表面シートと前記裏面シートとの間に人体の腹側部から股間部を通って背側部にかけて介装される吸収体とを備える吸収性物品において、
前記吸収体は、前記股間部の幅方向中央部において、前記吸収体の長手方向に沿って延在して前記表面シート側に突出する第１突出部と、
前記股間部の前記第１突出部より前記背側部側において、前記吸収体の幅方向に沿って延在して前記表面シート側に突出する第２突出部と、
を備え、
装着時において、前記第１突出部は、女性着用者の陰唇間に当接するよう配され、前記第２突出部は、女性着用者の肛門よりも前方に位置するように配され、
人体との接触面側の前記第１突出部と対向する位置には、不透液性の第１シート材が備えられていることを特徴とする。
【０００７】
請求項２に記載の発明は、請求項１に記載の吸収性物品において、
人体との接触面側の前記第２突出部の前記腹側部側と対向する位置には、不透液性の第２シート材が備えられていることを特徴とする。
【０００８】
請求項３に記載の発明は、
人体との接触面側に設けられる表面シートと、人体との接触面と反対面側に設けられる裏面シートと、前記表面シートと前記裏面シートとの間に人体の腹側部から股間部を通って背側部にかけて介装される吸収体とを備える吸収性物品において、
前記吸収体は、
前記股間部の幅方向中央部において、前記吸収体の長手方向に沿って延在して前記表面シート側に突出する第１突出部と、
前記股間部の前記第１突出部より前記背側部側において、前記吸収体の幅方向に沿って延在して前記表面シート側に突出する第２突出部と、
を備え、
人体との接触面と反対面側の前記第１突出部と対向する位置に、前記第１突出部の位置を把握可能とする目印が備えられ、
前記目印は、目印部材により構成され、
前記目印部材には、前記吸収体の幅方向に沿って伸縮可能な伸縮部材が配されていることを特徴とする。
【０００９】
請求項４に記載の発明は、請求項３に記載の吸収性物品において、
前記目印部材には、人体との接触面と反対面側に突出した摘み部が設けられていることを特徴とする。
【００１０】
請求項５に記載の発明は、請求項１〜４の何れか一項に記載の吸収性物品において、
前記第２突出部は、前記腹側部側に向けて凸となるように湾曲していることを特徴とする。
【００１１】
請求項６に記載の発明は、請求項１〜５の何れか一項に記載の吸収性物品において、
前記第１突出部と前記第２突出部とが繋がって一体的に設けられていることを特徴とする。
【００１２】
請求項７に記載の発明は、請求項１〜６の何れか一項に記載の吸収性物品において、
前記吸収体の前記腹側部には、当該吸収体の長手方向に沿った複数の溝部が備えられていることを特徴とする。
【００１３】
請求項８に記載の発明は、請求項１〜７の何れか一項に記載の吸収性物品において、
前記吸収体は、前記裏面シート側に配設される第１吸収体と、前記第１吸収体上に配置される第２吸収体とを、備え、
前記第１突出部及び前記第２突出部は、前記第２吸収体により構成されていることを特徴とする。
【発明の効果】
【００１６】
本発明によれば、吸収体は、股間部の幅方向中央部において、吸収体の長手方向に沿って延在して表面シート側に突出する第１突出部と、股間部の第１突出部より背側部側において、吸収体の幅方向に沿って延在して表面シート側に突出する第２突出部と、を備えている。
このため、第１突出部が女性着用者の陰唇間に当接して陰唇間の隙間を塞ぐと共に、第２突出部が肛門より前方に位置して排泄物が第１突出部側へ侵入するのを防ぐため、女性着用者の陰部に排泄物が入り込むのを防止することができる。
よって、女性着用者に対して使用した場合に、陰部を清潔に保つことができる。
【図面の簡単な説明】
【００１７】
【図１】吸収性物品の装着時の状態の一例を示す斜視図である。
【図２】図１の吸収性物品の下側の平面展開図である。
【図３】図１の吸収性物品の上側の平面展開図である。
【図４】図３のＩＶ−ＩＶ線における断面図である。
【図５】図３のＶ−Ｖ線における断面図である。
【図６】吸収性物品の作用を説明するための図である。
【図７】第１吸収体及び第２吸収体を一体にした場合の断面図である。
【図８】変形例１の吸収性物品の上側の平面展開図である。
【図９】変形例２の吸収性物品の上側の平面展開図である。
【図１０】図９のＸ−Ｘ線における断面図である。
【図１１】変形例３の吸収性物品の上側の平面展開図である。
【図１２】図１１のＸＩＩ−ＸＩＩ線における断面図である。
【図１３】変形例３の吸収性物品の別の態様を示す断面図である。
【図１４】変形例４の吸収性物品の上側の平面展開図である。
【図１５】図１４のＸＶ−ＸＶ線における断面図である。
【発明を実施するための形態】
【００１８】
以下、図を参照して、本発明の実施の形態を詳細に説明する。ただし、発明の範囲は、図示例に限定されない。
【００１９】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向（幅方向）とする。
また、前後方向をＸ方向、左右方向をＹ方向、上下方向をＺ方向とする。
【００２０】
吸収性物品１は、例えば夜用又は長時間用の尿取りパッドであり、おむつやおむつカバー、パンツなどの人体に装着される外装体（図示省略）に着脱・交換自在に取り付けられて使用される。
【００２１】
図１〜５に示すように、吸収性物品１は、装着時に着用者の股間を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股間に位置する股間部１３を形成する。
腹側部１１及び背側部１２は、左右方向の長さがほぼ等しく、股間部１３よりも長く形成されている。背側部１２は、前後方向の長さが腹側部１１よりも長く形成されており、これにより、背側部１２によって着用者の背側を広く覆うことができるようになっている。
また、股間部１３の両縁部は、腹側部１１から背側部１２に亘って、装着時に着用者の脚周りに位置する二つの脚周り部１４，１４を形成する。脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く吸収性物品１がズレ難くなっている。また、当該平面ギャザーによって、吸収性物品１が自然に湾曲するため、立体ギャザー（後述）を着用者の股間により密着させることができるようになっている。
【００２２】
吸収性物品１は、装着時に着用者との接触面側（上側）に設けられる透液性の表面シート２０と、装着時に着用者との接触面と反対面側（下側）に設けられる裏面シート３０と、装着時に着用者との接触面と反対側の外部側に設けられる不織布からなるバックシート４０と、表面シート２０と裏面シート３０との間に介装される吸収体６０と、表面シート２０側の吸収体６０の幅方向両側縁部（左側縁部及び右側縁部）に、吸収性物品１の長手方向に沿って備えられたギャザーシート５０，５０と、バックシート４０における股間部１３に設けられる目印７０と、バックシート４０における腹側部１１に設けられ、吸収性物品１を外装体に固定するための固定部材９０と、により主に構成される。
また、表面シート２０側の股間部１３には、平面視略Ｙ字状の凸部２０Ａが形成されている。
【００２３】
表面シート２０は、吸収性物品１を装着した際に着用者に接する面を形成し、吸収体６０の上側に設けられ、尿などの水様成分を含む体液等を受けて、吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００２４】
裏面シート３０は、吸収体６０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、必ずしも不透液性のシートでなくても良い。
【００２５】
バックシート４０は、吸収性物品１を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。
また、クロスライクさが得られるため、見た目にムレ難い印象を与えることができるとともに、着用者の肌への負担を軽減させることができる。
バックシート４０としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００２６】
ギャザーシート５０，５０は、表面シート２０側において、吸収体６０のＸ方向に沿った両側縁部に、腹側部１１から背側部１２に亘ってそれぞれ備えられている（図３参照）。
このギャザーシート５０，５０の左右方向外側の部分は、吸収体６０の側方で表面シート２０及び裏面シート３０の上面に固着されている。また、このギャザーシート５０，５０の左右方向内側の部分は、表面シート２０及び裏面シート３０に固定されておらず、その前後方向に沿って糸ゴム等の立体ギャザー用弾性部材５０１が備えられており、起立して着用者の体型に合わせて伸縮自在に変形可能な一対の立体ギャザーが形成されている。
【００２７】
吸収体６０は、裏面シート３０側に配設される第１吸収体６１と、表面シート２０側の第１吸収体６１上に配設される第２吸収体６２とを備えて構成されている。
【００２８】
第１吸収体６１は、その長手方向の長さが、吸収性物品１の長手方向の長さとほぼ等しくなるように、腹側部１１から股間部１３を通り背側部１２に亘る位置に配置され、吸収性物品１の使用時に体液等を吸収する役割を果たすものである。
第１吸収体６１は、吸収性物品１の形状に対応させて、腹側部１１側及び背側部１２側に対して股間部１３側が幅狭となるように内側に凹んで形成されている。
【００２９】
第１吸収体６１は、綿やパルプなどの吸収性素材や、繊維或いはフィルム等のシート状基材に、高吸収性ポリマーのような高吸水性樹脂を混入したものが使用される。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
また、第１吸収体６１は、形状保持等のために、例えば、クレープ紙や透液性の不織布や孔開きシートなどの透液性のシート材によって囲繞することが望ましい。
【００３０】
第２吸収体６２は、股間部１３の幅方向中央部において、吸収体６０の長手方向に沿って延在して表面シート２０側に突出する第１突出部６２１と、股間部１３の第１突出部６２１より背側部１２側において、吸収体６０の幅方向に沿って延在して表面シート２０側に突出する第２突出部６２２と、を備えている。
【００３１】
第１突出部６２１は、平面視直線状を成し、その前端部が着用者の排尿口付近に配置され、女性着用者の陰唇間に当接されて陰唇間の隙間を埋めるように装着され、陰部へ排泄物が入り込むのを防止する機能を果たす。
【００３２】
第２突出部６２２は、平面視において腹側部１１側に向けて幅方向中央部が凸となるように湾曲した形状を成し、装着時に着用者の肛門よりも前方に位置するように配置され、排泄物が第１突出部６２１側へ侵入するのを防御する機能を果たす。
なお、第２突出部６２２は、少なくとも幅方向に延在する形状であれば良く、例えば、平面視直線状などに構成することも可能であるが、本実施形態のように湾曲した形状とすることで肛門周辺に好適にフィットし、上記した排泄物の第１突出部６２１側への侵入防御機能をより高めることができる。
【００３３】
また、本実施形態においては、第１突出部６２１と第２突出部６２２とは、繋がって一体的に設けられており、このため第１突出部６２１により陰唇間の隙間をより確実に塞ぐことができるようになっている。
【００３４】
このような第２吸収体６２（第１突出部６２１及び第２突出部６２２）は、綿やパルプなどの吸収性素材や、繊維或いはフィルム等のシート状基材に、高吸収性ポリマーのような高吸水性樹脂を混入したものが使用される。
なお、高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
また、第２吸収体６２は、形状保持等のために、例えば、クレープ紙や透液性の不織布や孔開きシートなどの透液性のシート材によって囲繞することが望ましい。
本実施形態においては、第１突出部６２１と第２突出部６２２とは、繋がって一体的に設けられているため、第１突出部６２１と第２突出部６２２とは一体的に液性のシート材によって囲繞される。
なお、この第２吸収体６２（第１突出部６２１及び第２突出部６２２）は、第１吸収体６１上の所定位置に接着され固定されている。
また、このような第１吸収体６１及び第２吸収体６２上に表面シート２０が備えられ、凸部２０Ａが形成されることとなる。
【００３５】
目印７０は、吸収性物品１の外面側の第１突出部６２１と対向する位置に備えられ、吸収性物品１の外面側から、吸収性物品１の内面側の第１突出部６２１の位置を把握可能とするものである（図２参照）。
かかる目印７０を備えることにより、介護者等が被介護者に吸収性物品１を装着させる際に、第１突出部６２１の位置を容易に把握できることとなる。
【００３６】
具体的に、目印７０は、例えば、略矩形状をなす目印部材７１により構成されている。
目印部材７１には、吸収体６０の幅方向に沿って伸縮可能な糸ゴム等の伸縮部材７２が配されている。
これにより、吸収性物品１の股間部１３を着用者の股間部に近い幅まで収縮した状態となるため、装着させるのが容易となる。
また、収縮させることにより、第１突出部６２１及び第２突出部６２２の凹凸形状が強調されるため、陰部へのフィット性を向上させることができる。
【００３７】
また、目印部材７１には、吸収体物品１の外面側に突出した摘み部７３が設けられている。
これにより、第１突出部６２１の陰部への装着及び取り外しを容易にすることができる。
【００３８】
また、目印部材７１の幅方向中央部には、手指の挿入が可能な挿入口７４が形成されている。
これにより、第１突出部６２１の陰部への当接を容易にすることができる。
【００３９】
なお、目印としては、吸収性物品１の外面側から第１突出部６２１の位置を把握可能とするものであれば良く、上記目印部材７１の代わりに、吸収性物品１の外面の第１突出部６２１と対向する位置に所定の図柄を印刷する等であっても良い。
この場合、裏面シート３０の外側に目印として所定の図柄を印刷し、その上から当該図柄が透けて見えるように、バックシート４０を設けることとしても良い。
また、上記目印部材７１に、伸縮部材７２、摘み部７３、挿入口７４の何れも設けない構成であっても良いし、伸縮部材７２、摘み部７３、挿入口７４の何れか１つ又は２つを組み合わせた構成であっても良い。
【００４０】
固定部材９０は、吸収性物品１を外装体に接着させて固定する役割を果たす、粘着テープであり、剥離紙を剥がすと粘着部分が露出するようになっている。
固定部材９０は、例えば、略矩形状をなしており（図２参照）、吸収性物品１を装着した際に着用者に接する面と反対側の面（バックシート４０の下面）における腹側部１１の中央部に備えられている。
固定部材９０の配置位置は、吸収性物品１のめくれを抑制してズレ難くする等の観点から、腹側部１１のより前側であることが好ましい。また、固定部材９０のサイズは、吸収性物品１を外装体にしっかりと固定させることができる大きさであれば特に限定されない。
なお、固定部材９０は、粘着テープに限ることはなく、吸収性物品１を外装体に固定させることができる部材であれば任意であり、例えば、面ファスナであっても良いが、できるだけやわらかい素材のものの方が着用者の身体の動きに追従し易く、好適である。
【００４１】
次に、吸収性物品１の作用について説明する。
本実施形態の吸収性物品１は、図６に示すように、吸収体６０は、第１吸収体６１と第２吸収体６２とを備え、第２吸収体６２は、第１突出部６２１と第２突出部６２２とを備えた構成となっている。
この吸収性物品１は、第１突出部６２１の先端部近傍（図６のＡで示す領域）が着用者の排尿口付近に配され、第１突出部６２１中央部（図６のＢで示す領域）が着用者の陰唇間に当接するよう配され、第２突出部６２２の後方（図６のＣで示す領域）に着用者の肛門が位置するように装着される。
これにより、第２突出部６２２により軟便等の排泄物が第２突出部６２２より前方に拡散されるのが阻止される。
また、第１突出部６２１により陰唇の隙間が塞がれるため、尿や軟便等の排泄物が陰部に入り込むのが防止される。
【００４２】
かかる吸収性物品１の装着は、介護者により行われる。このとき、介護者は、吸収性物品１の外面に備えられた目印７０により、第１突出部６２１の位置を把握することができる。
目印７０には伸縮部材７２が配され、その伸縮力により吸収性物品１の股間部１３が着用者の股間幅に近い状態となっているため、装着作業がより簡単である。
また、目印７０に摘み部７３が設けられているため、介護者は摘み部７３を摘まんで第１突出部６２１の装着及び取り外しを行う。
【００４３】
以上のように、本実施形態によれば、表面シート２０と、裏面シート３０と、表面シート２０と裏面シート３０との間に介装される吸収体６０と、を備える吸収性物品１において、吸収体６０は、股間部１３の幅方向中央部において、吸収体６０の長手方向に沿って延在して表面シート２０側に突出する第１突出部６２１と、股間部１３の第１突出部６２１より背側部１２側において吸収体６０の幅方向に沿って延在して表面シート２０側に突出する第２突出部６２２と、を備えて構成されている。
このため、第１突出部６２１が女性着用者の陰唇間に当接して陰唇間の隙間を塞ぐと共に、第２突出部６２２が肛門より前方に位置して排泄物が第１突出部６２１側へ侵入するのを防ぐため、女性着用者の陰部に排泄物が入り込むのを防止することができる。
よって、女性着用者に対して使用した場合に、陰部を清潔に保つことができる。
【００４４】
また、本実施形態によれば、第２突出部６２２は、腹側部１１側に向けて凸となるように湾曲している。
このため、第２突出部６２２が着用者の肛門周辺に好適にフィットし、排泄物の拡散を効果的に防止することができる。
【００４５】
また、本実施形態によれば、第１突出部６２１と第２突出部６２２とが繋がって一体的に設けられている。
このため、第１突出部６２１により陰唇間の隙間をより確実に塞ぐことができる。
【００４６】
また、本実施形態によれば、吸収体６０は、裏面シート３０側に配設される第１吸収体６１と、第１吸収体６１上に配置される第２吸収体６２とを、備え、第１突出部６２１及び第２突出部６２２は、第２吸収体６２により構成されている。
このため、第１吸収体６１及び第２吸収体６２を別々に作成できるため、これら第１吸収体６１と第２吸収体６２（第１突出部６２１及び第２突出部６２２）の内部組成を変えることができ、設計の自由度が広がる。
【００４７】
また、本実施形態によれば、人体との接触面と反対面側の第１突出部６２１と対向する位置に、第１突出部６２１の位置を把握可能とする目印７０が備えられている。
このため、介護者が吸収性物品１を女性着用者に装着させる際に、第１突出部６２１の位置を把握できるため、装着作業が容易となる。
【００４８】
また、本実施形態によれば、目印７０は、目印部材７１により構成され、目印部材７１には、吸収体６０の幅方向に沿って伸縮可能な伸縮部材７２が配されている。
このため、吸収性物品１の股間部１３を人体の股間部に近い状態まで収縮させることができ、装着作業がより容易となる。また、吸収性物品１の股間部１３を収縮させることにより第１突出部６２１と第２突出部６２２との凹凸形状を強調することとなるため、陰部へのフィット性を向上させることができる。
【００４９】
また、本実施形態によれば、目印７０は、目印部材７１により構成され、人体との接触面と反対面側に突出した摘み部７３が設けられている。
このため、介護者が摘み部７３を摘まんで作業できるので、吸収性物品１を着用者に装着させ易く、取り外しやすい。 
【００５０】
なお、上記実施形態においては、吸収体６０は、第１吸収体６１と第２吸収体６２とを備えている構成を例示して説明したが、図７に示すように、第１吸収体６１と第２吸収体６２とを一体的に形成することとしても良い。
なお、この場合には、第１吸収体６１と第２吸収体６２とは一体的に透液性のシート材によって囲繞される。
また、かかる構成によれば、第１吸収体６１上の所定の位置に第２吸収体６２を接着する手間を省くことができる。
【００５１】
また、上記実施形態においては、第１突出部６２１と第２突出部６２２とが繋がって一体的に設けられている構成を例示して説明したが、第１突出部６２１と第２突出部６２２とを別体とすることもできる。こうすることで、設計の自由度を広げることができる。
【００５２】
＜変形例１＞
変形例１の吸収性物品１Ａは、図８に示すように、吸収体６０Ａは、その腹側部１１に吸収体６０Ａの長手方向に沿った複数（図８では５本）の溝部Ｓが形成された第１吸収体６１Ａを備えて構成されている。
なお、溝部Ｓの数や幅に特に制限はなく、適宜設定可能である。
溝部Ｓは、腹側部１１における尿などの液体の拡散性を向上させるものである。即ち、溝部Ｓは、第１吸収体６１Ａの装着時に着用者の排尿口より前方に位置することとなるため、排尿時にこれを素早く広範囲に拡散させる。
このように、変形例１によれば、吸収体６０Ａ（第１吸収体６１Ａ）の腹側部１１に、当該吸収体６０Ａの長手方向に沿った複数の溝部Ｓが備えられているため、尿の拡散性が向上し、使用感を快適にすることができる。
【００５３】
なお、変形例１の構成においても第１吸収体６１Ａ及び第２吸収体６２を一体にすることが可能である。
【００５４】
＜変形例２＞
変形例２の吸収性物品１Ｂは、図９、１０に示すように、吸収体６０Ｂは、第１吸収体６１Ｂと、第２吸収体６２とを備え、第１吸収体６１Ｂには、その腹側部１１から背側部１２にかけて、吸収体６０Ｂの長手方向に沿った複数（図９、１０では５本）の溝部Ｓが形成されている。
この場合、腹側部１１の溝部Ｓにより尿の拡散性を高めることができると共に、背側部１２の溝部Ｓにより、軟便中の水溶成分の拡散を高めることができるため、使用感をより快適にすることができる。
【００５５】
＜変形例３＞
変形例３の吸収性物品１Ｃは、図１１、１２に示すように、表面シート２０の上面（人体との接触面）において、第１突出部６２１と対向する位置（図１１のＤで示す領域）に不透液性の不織布等からなる第１シート材８１が備えられている。
このようにすることで、第１突出部６２１を伝って陰唇間に尿などの液体が進入するのを防ぐことができるため、陰部をより清潔な状態に保つことが可能となる。
なお、第１突出部６２１を伝って陰唇間に液体が進入するのを防ぐためには、図１３に示すように、表面シート２０と第１突出部６２１との間に第１シート材８１を備える構成とすることも可能であるが、表面シート２０の上面に第１シート材８１を備えることで、表面シート２０を伝う液体の進入も防ぐことができるため、好ましい。
また、第１シート材８１を表面シート２０の上面に備える代わりに、表面シート２０の一部（図１１のＤで示す領域）を不透液性に形成することとしても良い。
【００５６】
＜変形例４＞
変形例４の吸収性物品１Ｄにおいては、図１４、１５に示すように、表面シート２０の上面（人体との接触面）には、第１シート材８１に加え、第２突出部６２２の腹側部１１側と対向する位置（図１４のＥで示す領域）に第２シート材８２が備えられている。
この第２シート材８２は、第１シート材８１と一体に形成することとしても良い。
第１突出部６２１を伝って陰唇間に液体が進入するのを防ぐためには、少なくとも第１シート材８１を備えていれば良いが、第２シート材８２を備えることで、より確実に陰唇間への液体の進入を防ぐことができ、また、背側部１２側からの液体の進入を好適に防ぐことができる。
なお、第１シート材８１及び第２シート材８２を、表面シート２０と第１突出部６２１との間に備える構成とすることも可能であるが、変形例３と同様に、表面シート２０の上面に備えることが好ましい。
また、図示は省略するが、第２シート材８２を、表面シート２０の上面における第２突出部６２２と対向する位置全体に設けることとしても良いのは勿論である。
また、第１シート材８１及び第２シート材８２を表面シート２０の上面に備える代わりに、表面シート２０の一部（図１４のＤ及びＥで示す領域）を不透液性に形成することとしても良い。
【００５７】
なお、上記実施形態及び変形例１〜４においては、吸収性物品として尿取りパッドを例示して説明しているが、吸収性物品は、例えば紙おむつ等であっても良い。
【符号の説明】
【００５８】
１、１Ａ、１Ｂ、１Ｃ、１Ｄ  吸収性物品
１１  腹側部
１２  背側部
１３  股間部
１４，１４  脚周り部
１４１  平面ギャザー用弾性部材
２０  表面シート
２０Ａ  凸部
３０  裏面シート
４０  バックシート
５０，５０  ギャザーシート
５０１  立体ギャザー用弾性部材
６０、６０Ａ、６０Ｂ  吸収体
Ｓ  溝部
６１、６１Ａ、６１Ｂ  第１吸収体
６２１  第１突出部
６２２  第２突出部
６２  第２吸収体
７０  目印
７１  目印部材
７２  伸縮部材
７３  摘み部
７４  挿入口
８１  第１シート材
８２  第２シート材
９０  固定部材
【図１】
0005854666.tif 000002
【図２】
0005854666.tif 000003
【図３】
0005854666.tif 000004
【図４】
0005854666.tif 000005
【図５】
0005854666.tif 000006
【図６】
0005854666.tif 000007
【図７】
0005854666.tif 000008
【図８】
0005854666.tif 000009
【図９】
0005854666.tif 000010
【図１０】
0005854666.tif 000011
【図１１】
0005854666.tif 000012
【図１２】
0005854666.tif 000013
【図１３】
0005854666.tif 000014
【図１４】
0005854666.tif 000015
【図１５】
0005854666.tif 000016